(57)【要約】      （修正有）【課題】開き用ホイールを回転させることによってバッフルモジュール構造の開／閉状態を調節し、接眼レンズが露出することを効果的に防止し、接眼レンズでのほこりの堆積や傷を防ぎ、耐用年数を延ばす防塵保護蓋の回転開き構造を提供する。【解決手段】顕微鏡に用いる防塵保護蓋の回転開き構造およびその顕微鏡であって、バッフルホルダ２とバッフルモジュールと開き用ホイール４とを備え、開き用ホイールの中央に設けられた第三の貫通穴４１の下方に正対するバッフルホルダの中央に第二の貫通穴２１が設けられており、第三の貫通穴と第二の貫通穴との間は閉じた左バッフル３１と右バッフル３２とによって塞がれており、開き用ホイールが回転すると、左バッフルの左スライドシャフト３１２と右バッフルの右スライドシャフト３２２とがそれぞれ左スライド溝内４２と右スライド溝内４３とでスライドし、かつ、左バッフルが左旋回軸３１１を中心に回転し右バッフルが右旋回軸３２１を中心に回転する。【選択図】図５
0003235266.tif 000002
【実用新案登録請求の範囲】
【請求項１】
バッフルホルダ（２）と、バッフルモジュール（３）と、開き用ホイール（４）とを備える顕微鏡に用いる防塵保護蓋の回転開き構造であって、
バッフルホルダ（２）は中央に第二の貫通穴（２１）が形成され、バッフルホルダ（２）の第二の貫通穴（２１）の両側のそれぞれに左旋回孔（２２）と右旋回孔（２３）とが設けられており、
バッフルモジュール（３）は左バッフル（３１）と右バッフル（３２）とを有し、左バッフル（３１）と右バッフル（３２）とはバッフルホルダ（２）の端面上に取り付けられ、左バッフル（３１）の一端から左旋回軸（３１１）が下方に突き出し、左バッフル（３１）の他端から左スライドシャフト（３１２）が上方に突き出し、左旋回軸（３１１）が左旋回孔（２２）内に挿入されており、右バッフル（３２）の一端から右旋回軸（３２１）が下方に突き出し、右バッフル（３２）の他端から右スライド軸（３２２）が上方に突き出し、右旋回軸（３２１）は右旋回孔（２３）内に挿入されており、
開き用ホイール（４）はバッフルホルダ（２）の外側に取り付けられバッフルホルダ（２）に沿って回転することができ、開き用ホイール（４）の中央には第三の貫通穴（４１）が形成され、開き用ホイール（４）の第三の貫通穴（４１）の両側に長方形の左スライド溝（４２）と右スライド溝（４３）とが設けられ、左バッフル（３１）の左スライドシャフト（３１２）と右バッフル（３２）の右スライドシャフト（３２２）とがそれぞれ左スライド溝（４２）内と右スライド溝（４３）内とに挿入されており、
開き用ホイール（４）の中央に形成された第三の貫通穴（４１）の下方にはバッフルホルダ（２）の中央に形成された第二の貫通穴（２１）が正対し、第三の貫通穴（４１）と第二の貫通穴（２１）との間は閉じた左バッフル（３１）と右バッフル（３２）とによって塞がれており、開き用ホイール（４）を回転させると、左バッフル（３１）の左スライドシャフト（３１２）と右バッフル（３２）の右スライドシャフト（３２２）とはそれぞれ左スライド溝（４２）内と右スライド溝（４３）内とをスライドし、かつ、左バッフル（３１）は左旋回軸（３１１）を中心に回転し右バッフル（３２）は右旋回軸（３２１）を中心に回転し、その結果、左バッフル（３１）と右バッフル（３２）とが開き、第三の貫通穴（４１）と第二の貫通穴（２１）との間が連通する、
ことを特徴とする顕微鏡に用いる防塵保護蓋の回転開き構造。
【請求項２】
請求項１に記載の顕微鏡に用いる防塵保護蓋の回転開き構造であって、
開き用ホイール（４）の上方に上部カバー（５）がさらに設けられ、上部カバー（５）の中央に第四の貫通穴（５２）が形成され、第四の貫通穴（５２）と第三の貫通穴（４１）と第二の貫通穴（２１）との位置が上下に対応しており、開き用ホイール（４）の上部カバー（５）には第四の貫通穴（５２）の両側のそれぞれからガイド接続支柱（５０）が突き出し、上部カバー（５）のガイド接続支柱（５０）の端面にはネジ穴（５１）が設けられており、開き用ホイール（４）には第三の貫通穴（４１）の両側のそれぞれに腰形ガイド溝（４４）が設けられており、ガイド接続支柱（５０）は腰形ガイド溝（４４）を貫通しバッフルホルダ（２）上にネジで接続されており、バッフルホルダ（２）と開き用ホイール（４）と上部カバー（５）とは一体に接続されている、
ことを特徴とする顕微鏡に用いる防塵保護蓋の回転開き構造。
【請求項３】
請求項１または２に記載の顕微鏡に用いる防塵保護蓋の回転開き構造であって、
外套架台（１）をさらに備え、外套架台（１）の端面には第一の貫通穴（１１）が形成され、第一の貫通穴（１１）の縁に沿って上方に第一突起台（１２）が突き出し、バッフルホルダ（２）は第一突起台（１２）の外に取り付けられており、第一の貫通穴（１１）と第二の貫通穴（２１）との位置は上下に対応している、
ことを特徴とする顕微鏡に用いる防塵保護蓋の回転開き構造。
【請求項４】
請求項３に記載の顕微鏡に用いる防塵保護蓋の回転開き構造であって、
バッフルホルダ（２）には第二の貫通穴（２１）の両側のそれぞれにフック（２７）が設けられており、フック（２７）は第一の貫通穴を貫通して外套架台（１）の上に掛かる、
ことを特徴とする顕微鏡に用いる防塵保護蓋の回転開き構造。
【請求項５】
請求項３に記載の顕微鏡に用いる防塵保護蓋の回転開き構造であって、
バッフルホルダ（２）には第二の貫通穴（２１）の両側のそれぞれに第一の制限ブロック（２４）と第二の制限ブロック（２５）とが突き出し、左バッフル（３１）上には第一の係止切欠き（３１３）が形成され、右バッフル（３２）上には第二の係止切欠き（３２３）が形成されており、
開き用ホイール（４）が回転してバッフルモジュール（３）を閉じると、左バッフル（３１）の第一の係止切欠き（３１３）が第一の制限ブロック（２４）に接して移動が制限され、右バッフル（３２）の第二の係止切欠き（３２３）が制限用の第二の制限ブロック（２５）に接して移動が制限される、
ことを特徴とする顕微鏡に用いる防塵保護蓋の回転開き構造。
【請求項６】
請求項４に記載の顕微鏡に用いる防塵保護蓋の回転開き構造であって、
開き用ホイール（４）の外面に複数の切欠き縁（４６）が形成されている、
ことを特徴とする顕微鏡に用いる防塵保護蓋の回転開き構造。
【請求項７】
ハウジング（１００）と、防塵保護蓋の回転開き構造と、ハウジング（１００）内部に取り付けられた光学システムモジュールとを備え、
防塵保護蓋の回転開き構造は、ハウジング（１００）上に取り付けられており、
光学システムモジュールは、対象物の表面から眼までの光軸Ｚに沿って順次に配置された対物レンズ一（１０１）と対物レンズ二（１０２）と接眼レンズ三（１０３）と接眼レンズ二（１０４）と接眼レンズ一（１０５）とを備えており、その中の対物レンズ一（１０１）と対物レンズ二（１０２）とは正レンズと負レンズとの組み合わせであって、すなわち対物レンズ一（１０１）が正レンズである場合は対物レンズ二（１０２）が負レンズであり、あるいは対物レンズ一（１０１）が負レンズの場合は対物レンズ二（１０２）が正レンズであり、接眼レンズ三（１０３）が正レンズであり、接眼レンズ二（１０４）が正レンズであり、接眼レンズ一（１０５）が負レンズであり、
前記防塵保護蓋の回転開き構造は、上記の請求項１乃至請求項６のいずれかに記載された防塵保護蓋の回転開き構造であることを特徴とする、顕微鏡。
【考案の詳細な説明】
【技術分野】
【０００１】
本考案は、顕微鏡に用いる防塵保護蓋の回転開き構造およびその顕微鏡に関する。
【背景技術】
【０００２】
既存のズーム顕微鏡の接眼レンズには防塵保護蓋がなく、顕微鏡を使用しないときは、接眼レンズが露出しているため、接眼レンズの保護効果が低く、また接眼レンズが露出しているため、接眼レンズの表面に傷が付きやすく、ほこりが付着しやすく、顕微鏡を使用する際にはっきりと見ることができず、使用や観察の精度に影響があり、耐用年数が短くなる。
【考案の概要】
【考案が解決しようとする課題】
【０００３】
本考案の目的は、顕微鏡に用いる防塵保護蓋の回転開き構造とその顕微鏡を提供することであり、これは、傷がつき易く、接眼レンズの表面にほこりが蓄積し易く、顕微鏡を使用する際にはっきりと見ることができず、使用や観察の精度に影響を与え、耐用年数が短いという従来技術における技術的な問題を解決することができる。
【課題を解決するための手段】
【０００４】
本考案の目的は、以下の技術的解決手段によって達成される。本考案は、バッフルホルダと、バッフルモジュールと、開き用ホイールとを備える顕微鏡に用いる防塵保護蓋の回転開き構造であって、
バッフルホルダは中央に第二の貫通穴が形成され、バッフルホルダの第二の貫通穴の両側のそれぞれに左旋回孔と右旋回孔とが設けられており、
バッフルモジュールは左バッフルと右バッフルとを有し、左バッフルと右バッフルとはバッフルホルダの端面上に取り付けられ、左バッフルの一端から左旋回軸が下方に突き出し、左バッフルの他端から左スライドシャフトが上方に突き出し、左旋回軸が左旋回孔内に挿入されており、右バッフルの一端から右旋回軸が下方に突き出し、右バッフルの他端から右スライド軸が上方に突き出し、右旋回軸は右旋回孔内に挿入されており、
開き用ホイールはバッフルホルダの外側に取り付けられバッフルホルダに沿って回転することができ、開き用ホイールの中央には第三の貫通穴が設けられ、開き用ホイールの第三の貫通穴の両側に長方形の左スライド溝と右スライド溝とが設けられ、左バッフルの左スライドシャフトと右バッフルの右スライドシャフトとがそれぞれ左スライド溝内と右スライド溝内とに挿入されており、
開き用ホイールの中央に形成された第三の貫通穴の下方にはバッフルホルダの中央に形成された第二の貫通穴が正対し、第三の貫通穴と第二の貫通穴との間は閉じた左バッフルと右バッフルとによって塞がれており、開き用ホイールを回転させると、左バッフルの左スライドシャフトと右バッフルの右スライドシャフトとはそれぞれ左スライド溝内と右スライド溝内をスライドし、かつ、左バッフルは左旋回軸を中心に回転し右バッフルは右旋回軸を中心に回転し、その結果、左バッフルと右バッフルとが開き、第三の貫通穴と第二の貫通穴との間が連通する、ことを特徴とする顕微鏡に用いる防塵保護蓋の回転開き構造を提供する。
【０００５】
上記の開き用ホイールの上方に上部カバーがさらに設けられ、上部カバーの中央に第四の貫通穴が形成され、第四の貫通穴と第三の貫通穴と第二の貫通穴との位置が上下に対応しており、開き用ホイールの上部カバーには第四の貫通穴の両側のそれぞれからガイド接続支柱が突き出し、上部カバーのガイド接続支柱の端面にはネジ穴が設けられており、開き用ホイールには第三の貫通穴の両側のそれぞれに腰形ガイド溝が設けられており、ガイド接続支柱は腰形ガイド溝を貫通しバッフルホルダ上にネジで接続されており、バッフルホルダと開き用ホイールと上部カバーとは一体に接続されている。
【０００６】
上記の防塵保護蓋の回転開き構造は、外套架台をさらに備え、外套架台の端面には第一の貫通穴が形成され、第一の貫通穴の縁に沿って上方に第一突起台が突き出し、バッフルホルダは第一突起台の外に取り付けられており、第一の貫通穴と第二の貫通穴との位置は上下に対応している。
【０００７】
上記のバッフルホルダには第二の貫通穴の両側のそれぞれにフックが設けられており、フックは第一の貫通穴を貫通して外套架台の上に掛かる。
【０００８】
上記のバッフルホルダには第二の貫通穴の両側のそれぞれに第一の制限ブロックと第二の制限ブロックとが突き出し、左バッフル上には第一の係止切欠きが形成され、右バッフル上には第二の係止切欠きが形成されており、開き用ホイールが回転してバッフルモジュールを閉じると、左バッフルの第一の係止切欠きが第一の制限ブロックに接して移動が制限され、右バッフルの第二の係止切欠きが第二の制限ブロックに接して移動が制限される。
【０００９】
上記の開き用ホイールの外面に複数の切欠き縁が形成されている。
【００１０】
ハウジングと、防塵保護蓋の回転開き構造と、ハウジング内部に取り付けられた光学システムモジュールとを備え、防塵保護蓋の回転開き構造は、ハウジング上に取り付けられており、光学システムモジュールは、対象物の表面から眼までの光軸Ｚに沿って順次に配置された対物レンズ一と対物レンズ二と接眼レンズ三と接眼レンズ二と接眼レンズ一とを備えており、その中の対物レンズ一と対物レンズ二とは正レンズと負レンズとの組み合わせであって、すなわち対物レンズ一が正レンズである場合は対物レンズ二が負レンズであり、あるいは対物レンズ一が負レンズの場合は対物レンズ二が正レンズであり、接眼レンズ三が正レンズであり、接眼レンズ二が正レンズであり、接眼レンズ一が負レンズであり、前記防塵保護蓋の回転開き構造は、前段で述べた防塵保護蓋の回転開き構造であることを特徴とする顕微鏡。
【考案の効果】
【００１１】
従来技術と比較して、本考案には以下の効果がある。
１）顕微鏡に用いる防塵保護蓋の回転開き構造であって、バッフルホルダとバッフルモジュールと開き用ホイールとを備え、開き用ホイールの中央に形成された第三の貫通穴の下方にはバッフルホルダの中央に形成された第二の貫通穴が正対し、第三の貫通穴と第二の貫通穴との間は閉じた左バッフルと右バッフルとによって塞がれており、開き用ホイールを回転させると、左バッフルの左スライドシャフトと右バッフルの右スライドシャフトとはそれぞれ左スライド溝内と右スライド溝内とをスライドし、かつ、左バッフルは左旋回軸を中心に回転し右バッフルは右旋回軸を中心に回転し、その結果、左バッフルと右バッフルとが開き、第三の貫通穴と第二の貫通穴との間が連通し、開き用ホイールを回転させることによりバッフルモジュール構造の開／閉状態を調節し、接眼レンズが露出することを効果的に防止し、接眼レンズでのほこりの堆積や傷を防ぎ、耐用年数を延ばす。
２）他の利点は、実施例の部分で詳細に説明する。
【図面の簡単な説明】
【００１２】
【図１】本考案の第一の実施例の防塵保護蓋が閉じた状態の斜視図である。
【図２】本考案の第一の実施例の防塵保護蓋が開いた状態の斜視図である。
【図３】実用新案の第一の実施例の分解図である。
【図４】本考案の第一の実施例の別の角度からの分解図である。
【図５】本考案の第一の実施例の部分構造図である。
【図６】本考案の第一の実施例の別の角度からの部分構造図である。
【図７】本考案の第一の実施例の部分断面図である。
【図８】本考案の第二の実施例の防塵保護蓋が閉じた状態の斜視図である。
【図９】本考案の第二の実施例の防塵保護蓋が開いた状態の斜視図である。
【図１０】本考案の第二の実施例の断面図である。
【考案を実施するための形態】
【００１３】
本考案は具体的な実施例によって、また添付の図面と併せて以下でさらに詳細に説明される。
【００１４】
図１から図７に示されるように、本実施例は、バッフルホルダ２と、バッフルモジュール３と、開き用ホイール４とを備える顕微鏡に用いる防塵保護蓋の回転開き構造であって、
バッフルホルダ２は中央に第二の貫通穴２１が形成され、バッフルホルダ２の第二の貫通穴２１の両側のそれぞれに左旋回孔２２と右旋回孔２３とが設けられており、
バッフルモジュール３は左バッフル３１と右バッフル３２とを有し、左バッフル３１と右バッフル３２とはバッフルホルダ２の端面上に取り付けられ、左バッフル３１の一端から左旋回軸３１１が下方に突き出し、左バッフル３１の他端から左スライドシャフト３１２が上方に突き出し、左旋回軸３１１が左旋回孔２２内に挿入されており、右バッフル３２の一端から右旋回軸３２１が下方に突き出し、右バッフル３２の他端から右スライド軸３２２が上方に突き出し、右旋回軸３２１は右旋回孔２３内に挿入されており、
開き用ホイール４はバッフルホルダ２の外側に取り付けられバッフルホルダ２に沿って回転することができ、開き用ホイール４の中央に第三の貫通穴４１が形成され、開き用ホイール４の第三の貫通穴４１の両側に長方形の左スライド溝４２と右スライド溝４３とが設けられ、左バッフル３１の左スライドシャフト３１２と右バッフル３２の右スライドシャフト３２２とがそれぞれ左スライド溝４２内と右スライド溝４３内とに挿入されており、
開き用ホイール４の中央に形成された第三の貫通穴４１の下方にはバッフルホルダ２の中央に形成された第二の貫通穴２１が正対し、第三の貫通穴４１と第二の貫通穴２１との間は閉じた左バッフル３１と右バッフル３２とによって塞がれており、開き用ホイール４を回転させると、左バッフル３１の左スライドシャフト３１２と右バッフル３２の右スライドシャフト３２２とはそれぞれ左スライド溝４２内と右スライド溝４３内とをスライドし、かつ、左バッフル３１は左旋回軸３１１を中心に回転し右バッフル３２は右旋回軸３２１を中心に回転し、その結果、左バッフル３１と右バッフル３２とが開き、第三の貫通穴４１と第二の貫通穴２１との間が連通し、開き用ホイール４の回転によりバッフルモジュール３構造の開／閉状態を調節し、接眼レンズが露出することを効果的に防止し、接眼レンズでのほこりの堆積や傷を防ぎ、耐用年数を延ばす、ことを特徴とする顕微鏡に用いる防塵保護蓋の回転開き構造を提供する。
【００１５】
開き用ホイール４の上方に上部カバー５がさらに設けられ、上部カバー５の中央に第四の貫通穴５２が形成され、第四の貫通穴５２と第三の貫通穴４１と第二の貫通穴２１との位置が上下に対応しており、開き用ホイール４の上部カバー５には第四の貫通穴５２の両側のそれぞれからガイド接続支柱５０が突き出し、上部カバー５のガイド接続支柱５０の端面にはネジ穴５１が設けられており、開き用ホイール４には第三の貫通穴４１の両側のそれぞれに腰型ガイド溝４４が設けられており、ガイド接続支柱５０は腰形ガイド溝４４を貫通しバッフルホルダ２上にネジで接続されており、バッフルホルダ２と開き用ホイール４と上部カバー５とは一体に接続されており、開き用ホイール４を回転させると、ガイド接続支柱５０が腰形ガイド溝４４を中心にスライドし、簡単に取付けることができる。
【００１６】
また、外套架台１をさらに備え、外套架台１の端面には第一の貫通穴１１が形成され、第一の貫通穴１１の縁に沿って情報に第一突起台１２が突き出し、バッフルホルダ２は第一突起台１２の外に取り付けられており、第一の貫通穴１１と第二の貫通穴２１との位置は上下に対応しており、構造は単純である。
【００１７】
バッフルホルダ２には第二の貫通穴２１の両側のそれぞれにフック２７が設けられており、フック２７は第一の貫通穴を貫通して外套架台１の上に掛かり、バッフルホルダ２と開き用ホイール４とバッフルモジュール３とは外套架台１に固定されており、取り付け構造は単純でしっかりとしている。
【００１８】
バッフルホルダ２には第二の貫通穴２１の両側のそれぞれに第一の制限ブロック２４と第二の制限ブロック２５とが突き出し、左バッフル３１上には第一の係止切欠き３１３が形成され、右バッフル３２上には第二の係止切欠き３２３が形成され、開き用ホイール４が回転してバッフルモジュール３を閉じると、左バッフル３１の第一の係止切欠き３１３が第一の制限ブロック２４に接して移動が制限され、右バッフル３２の第二の係止切欠き３２３が第二の制限ブロック２５に接して移動が制限され、左バッフル３１と右バッフル３２とが閉じたときに衝突して損傷することを効果的に防止し、構造は単純である。
【００１９】
開き用ホイール４の外面に複数の切欠き縁４６が形成されており、開き用ホイール４の回転を容易にし、回転操作中の滑りを防止する。
【００２０】
＜第二の実施例＞
図８から図１０に示すように、顕微鏡は、ハウジング１００と、防塵保護蓋の回転開き構造と、ハウジング１００内部に取り付けられた光学システムモジュールとを有しており、防塵保護蓋の回転開き構造は、ハウジング１００上に取り付けられており、光学システムモジュールは、対象物の表面から眼までの光軸Ｚに沿って順次に配置された対物レンズ一１０１と対物レンズ二１０２と接眼レンズ三１０３と接眼レンズ二１０４と接眼レンズ一１０５とを備えており、その中の対物レンズ一１０１と対物レンズ二１０２とは正レンズと負レンズとの組み合わせであって、すなわち対物レンズ一１０１が正レンズである場合は対物レンズ二１０２が負レンズであり、あるいは対物レンズ一１０１が負レンズの場合は対物レンズ二１０２が正レンズであり、接眼レンズ三１０３が正レンズであり、接眼レンズ二１０４が正レンズであり、接眼レンズ一１０５が負レンズである。前記防塵保護蓋の回転開き構造は、上述の第一の実施例で説明した防塵保護蓋の回転開き構造であって、外套架台１を介してハウジング１００に取り付け接続されることによって、接眼レンズが露出することを効果的に防止し、接眼レンズでのほこりの堆積や傷を防止し、耐用年数を延ばす。
【００２１】
上記の実施例は本考案の好ましい実施の方式であるが、本考案の実施の方式はこれに限定されず、実用新案の精神および原理から逸脱することなく行われる他の変更、修正、置換、組み合わせおよび簡略化はすべて同等の置換方式であり、いずれについても本考案の保護範囲に含まれる。
【図１】
0003235266.tif 000003
【図２】
0003235266.tif 000004
【図３】
0003235266.tif 000005
【図４】
0003235266.tif 000006
【図５】
0003235266.tif 000007
【図６】
0003235266.tif 000008
【図７】
0003235266.tif 000009
【図８】
0003235266.tif 000010
【図９】
0003235266.tif 000011
【図１０】
0003235266.tif 000012